(57)【要約】【課題】カラオケをグループで楽しむ場合に娯楽性を高めたカラオケリモコン装置およびカラオケ装置を提供する。【解決手段】利用者から複数の候補曲の入力を受け付けて候補曲表として管理し、利用者から複数のメンバーの入力を受け付けてメンバー表として管理し、候補曲表中の１つの楽曲とメンバー表中の１つのメンバーとをランダムに対応付けし、候補曲表の曲目リスト、メンバー表のメンバーリスト、曲目とメンバーの対応付け結果を表示し、メンバーが対応付けされた楽曲の識別子を含んだ演奏予約コマンドを出力する。【選択図】      図４
2005017735.tif 000002
【特許請求の範囲】
【請求項１】
候補曲管理手段と、メンバー管理手段と、曲メンバー対応付け手段と、表示手段と、予約手段とを備えたカラオケリモコン装置であって、
候補曲管理手段は、利用者から複数の候補曲の入力を受け付けて候補曲表として管理し、
メンバー管理手段は、利用者から複数のメンバーの入力を受け付けてメンバー表として管理し、
曲メンバー対応付け手段は、候補曲表中の１つの楽曲とメンバー表中の１つのメンバーとをランダムに対応付けし、
表示手段は、候補曲表の曲目リスト、メンバー表のメンバーリスト、曲目とメンバーの対応付け結果を表示し、
予約手段は、メンバーが対応付けされた楽曲の識別子を含んだ演奏予約コマンドを出力するカラオケリモコン装置。
【請求項２】
曲メンバー対応付け手段は、候補曲表から選出した１つの楽曲について、メンバー表から任意のメンバーを選出して対応付けする請求項１に記載のカラオケリモコン装置。
【請求項３】
曲メンバー対応付け手段は、メンバー表から選出した１つのメンバーについて、候補曲表から任意の楽曲を選出して対応付けする請求項１に記載のカラオケリモコン装置。
【請求項４】
候補曲管理手段は、曲メンバー対応付け手段によって楽曲とメンバーとの対応付けが決定したら、候補曲表から当該楽曲を削除する請求項１〜３のいずれかに記載のカラオケリモコン装置。
【請求項５】
メンバー管理手段は、曲メンバー対応付け手段によって楽曲とメンバーの対応付けが決定したら、メンバー表から当該メンバーを削除する請求項１〜４のいずれかに記載のカラオケリモコン装置。
【請求項６】
利用者に提示する複数のメッセージをメッセージリストとして管理するメッセージ管理手段を備え、
曲メンバー対応付け手段は、１組の楽曲とメンバーの対応付けごとにメッセージリスト中の１つのメッセージをランダムに選出して対応付けし、
表示手段は、曲目とメンバーの対応付け結果とともに選出したメッセージを表示出力する請求項１〜５のいずれかに記載のカラオケリモコン装置。
【請求項７】
表示手段は、複数組の曲目とメンバーとの対応付け結果を一覧表示する
請求項１〜６のいずれかに記載のカラオケリモコン装置。
【請求項８】
予約手段は、前記一覧表示された曲目の中から適宜な順番で楽曲を選出してその楽曲識別子を含む演奏予約コマンドを出力する請求項７に記載のカラオケリモコン装置。
【請求項９】
予約手段は、前記一覧表示された曲目の中から利用者が指定した楽曲の識別子を含む演奏予約コマンドを出力する請求項７に記載のカラオケリモコン装置。
【請求項１０】
候補曲管理手段と、メンバー管理手段と、曲メンバー対応付け手段と、表示手段と、予約手段とを備えたカラオケ装置であって、
候補曲管理手段は、利用者から複数の候補曲の入力を受け付けて候補曲表として管理し、
メンバー管理手段は、利用者から複数のメンバーの入力を受け付けてメンバー表として管理し、
曲メンバー対応付け手段は、候補曲表中の１つの楽曲とメンバー表中の１つのメンバーとをランダムに対応付けし
表示手段は、候補曲表の曲目リスト、メンバー表のメンバーリスト、曲目とメンバーとの対応付け結果を表示し、
予約手段は、メンバーが対応付けされた楽曲の識別子を演奏予約の待ち行列に登録するカラオケ装置。
【発明の詳細な説明】
【０００１】
【発明が属する技術分野】
この発明は、カラオケリモコン装置およびカラオケ装置に関し、とくに、複数の楽曲と複数の歌唱者とをランダムに対応付けして提示する情報処理技術に関する。
【０００２】
【従来の技術】
利用者が予約した順番とは異なる順番でカラオケ演奏するカラオケ装置が知られている。たとえば、特許第２７９７６３２号公報に開示されている技術によれば、特定の利用者ばかりが歌うことを防止するよう、歌唱の機会を公平にする観点から、利用者が選曲した楽曲の演奏順（歌唱順）を自動的に決定する。
あるいは、たとえば特許第２８２７４４３号公報に開示されているように、ゲーム性をもたせるために、利用者が選曲した楽曲の演奏順（歌唱順）をランダムに決定するカラオケ装置もある。
いずれの技術においても、利用者（歌唱者）と歌唱する楽曲とはあらかじめ対応づけられている。
【０００３】
一方、歌唱者に対してランダムに選曲するカラオケ装置も知られている。たとえば特許第３２７０３４５号公報に開示されている技術によれば、歌唱者が選曲するのが面倒な場合などに、歌手やジャンル等を指定してその範囲でランダムに選曲する。この技術は、一人の歌唱者が楽しむことを目的としたものであって、同席する他の利用者の存在は特に考慮してはいない。
【０００４】
【特許文献１】
特許第２７９７６３２号公報
【０００５】
【特許文献２】
特許第２８２７４４３号公報
【０００６】
【特許文献３】
特許第３２７０３４５号公報
【０００７】
【発明が解決しようとする課題】
カラオケをグループでゲームとして楽しむ場合に、歌唱順をランダムにし、なおかつ各メンバーが歌う楽曲が事前にわからないようにランダムに選曲できると娯楽性が増すと本発明者は考えた。ただし、指名されたメンバー本人だけでなくグループのどのメンバーも歌えないような曲が続いては、せっかくのゲームなのに場が白けてしまう。そこでメンバーの誰かが必ず歌えるように、メンバーが選んだ曲の中からランダムに別のメンバーに歌わせるようにすると、よりいっそう場が盛り上がってカラオケの娯楽性が増すと考えた。
【０００８】
【課題を解決するための手段】
以上の事情に鑑みて本発明が創作された。この発明に係るカラオケリモコン装置は、次の事項（１）〜（６）により特定されるものである。
（１）候補曲管理手段と、メンバー管理手段と、曲メンバー対応付け手段と、表示手段と、予約手段とを備えていること
（２）候補曲管理手段は、利用者から複数の候補曲の入力を受け付けて候補曲表として管理すること
（３）メンバー管理手段は、利用者から複数のメンバーの入力を受け付けてメンバー表として管理すること
（４）曲メンバー対応付け手段は、候補曲表中の１つの楽曲とメンバー表中の１つのメンバーとをランダムに対応付けすること
（５）表示手段は、候補曲表の曲目リスト、メンバー表のメンバーリスト、曲目とメンバーの対応付け結果を表示すること
（６）予約手段は、メンバーが対応付けされた楽曲の識別子を含んだ演奏予約コマンドを出力すること
【０００９】
また、本発明に係るカラオケ装置は、上記（１）〜（５）および次の事項（７）により特定されるものである。
（７）予約手段は、メンバーが対応付けされた楽曲の識別子を演奏予約の待ち行列に登録すること
【００１０】
この発明において、曲メンバー対応付け手段は、候補曲表から選出した１つの楽曲について、メンバー表から任意のメンバーを選出して対応付けすることが望ましい。あるいは、メンバー表から選出した１つのメンバーについて、候補曲表から任意の楽曲を選出して対応付けすることが望ましい。
【００１１】
また望ましくは、候補曲管理手段は、曲メンバー対応付け手段によって楽曲とメンバーとの対応付けが決定したら、候補曲表から当該楽曲を削除する。
【００１２】
また望ましくは、メンバー管理手段は、曲メンバー対応付け手段によって楽曲とメンバーの対応付けが決定したら、メンバー表から当該メンバーを削除する。
【００１３】
さらに望ましくは、利用者に提示する複数のメッセージをメッセージリストとして管理するメッセージ管理手段を備え、曲メンバー対応付け手段は、１組の楽曲とメンバーの対応付けごとにメッセージリスト中の１つのメッセージをランダムに選出して対応付けし、表示手段は、曲目とメンバーの対応付け結果とともに選出したメッセージを表示出力する。
【００１４】
さらにまた望ましくは、表示手段は、複数組の曲目とメンバーとの対応付け結果を一覧表示する。
この場合に、予約手段は、前記一覧表示された曲目の中から適宜な順番で楽曲を選出してその楽曲識別子を含む演奏予約コマンドを出力することが望ましい。
あるいは、前記一覧表示された曲目の中から利用者が指定した楽曲の識別子を含む演奏予約コマンドを出力することが望ましい。
【００１５】
【発明の実施の形態】
＝＝＝一実施例の概要＝＝＝
以下に詳述する本発明の一実施例においては、カラオケ装置を共用する人の間で使い回すことができる多機能カラオケリモコン装置にルーレットカラオケメニューを設ける。カラオケを利用するグループが、このメニュー内のメモリ領域に歌うメンバーと、メンバーの人数分の歌いたい楽曲を登録する。登録する時点では各楽曲を誰が歌うことになるかわからないが、メンバーと楽曲の登録が済むと、その対応付けをランダムに行い、利用者に提示するものである。
【００１６】
これによれば、自分の持ち歌を歌えるとは限らず、カラオケの娯楽性が増す。
しかも全く誰も歌えない曲は外すことができるので、場が白けてしまうような事態は避けられる。また、各人のレパートリーが広がり、カラオケ利用の機会が増える可能性がある。
【００１７】
＝＝＝カラオケ装置の構成＝＝＝
本発明は、一般的なカラオケ装置に適用される。本実施例に係るカラオケ装置のハードウェア主体の構成例を図１に示している。カラオケ装置は周知のパソコン相当のコンピュータ応用機器である。中央処理装置１１がＣＰＵ・ＲＡＭ・ＲＯＭを含むコンピュータ本体であり、大容量の外部記憶としてのハードディスク装置１２とＣＤ−ＲＯＭやＤＶＤ−ＲＯＭなどの光ディスク再生装置１３と、加入者電話回線やＩＳＤＮ電話回線を介してカラオケホスト装置と通信する通信制御装置１４と、利用者からの入力と利用者に向けての応答をやりとりする利用者インタフェース装置１５と、ＭＩＤＩ形式の音楽演奏データに基づいて伴奏音楽の音響信号を生成する音楽生成装置１６と、伴奏音楽やマイクロホンからの音響信号を増幅してスピーカから発音する音響装置１７と、ＣＲＴやＬＣＤあるいはＰＤＰなどを用いたディスプレイ１８と、このディスプレイ１８に表示すべき映像データを処理する映像処理装置１９とを備えている。
【００１８】
利用者インタフェース装置１５には、装置本体の操作パネル（キーボードとディスプレイ）やカラオケリモコン装置が含まれるとともに、後述の多機能カラオケリモコン装置が含まれ、双方向通信が可能な短距離無線通信手段（ＩｒＤＡトランシーバ・赤外線ＬＥＤ・赤外線受光素子）を備えている。利用者インタフェース装置１５から演奏予約コマンドを受信すると、含まれている楽曲ＩＤ（楽曲識別子）を受け取った順に演奏予約の待ち行列に登録する。
【００１９】
＝＝＝カラオケリモコン装置の構成＝＝＝
本実施例に係る多機能カラオケリモコン装置は、図２にその電子システム構成例を示したように、装置正面の大部分が液晶表示パネル（ＬＣＤ）２１ａに透明タッチセンサ２１ｂを重ねた液晶タッチパネル２１（表示器）で占められ、内部には、ＣＰＵ・ＲＡＭ・ＲＯＭを含む中央処理装置２２と、液晶表示パネル２１ａのドライバ２３と、透明タッチセンサ２１ｂの入力検出回路２４と、フラッシュメモリ２５と、カラオケ装置と交信するための短距離無線通信手段（ＩｒＤＡトランシーバ２６・赤外線ＬＥＤ２７・赤外線受光素子２８）と、電源電池と、充電ステーションのデータ通信装置を介してカラオケ装置とデータ通信する通信制御部２９などが実装されている。
【００２０】
中央処理装置２２は、液晶タッチパネル２１を用いたユーザインタフェースにより、利用者の希望の楽曲を検索したり選曲させたりする。そして、予約イベントが発行されると、短距離無線通信手段が近辺のカラオケ装置と交信し、楽曲ＩＤを含んだ演奏予約コマンドを発信したりする。
なお、これらの機器間の短距離無線通信手段は、ＩｒＤＡインタフェースの他、ブルートゥース信号なども適用可能である。
【００２１】
＝＝＝ルーレットカラオケ＝＝＝
多機能カラオケリモコン装置の中央処理装置２２は、フラッシュメモリ２５内に本実施例にかかる特定のメモリ領域を「ルーレットカラオケ」として管理している。本実施例にかかるルーレットカラオケ機能は、このメモリ領域にルーレットカラオケゲームの対象とする候補曲の楽曲ＩＤやゲームのプレイヤー（メンバー）を記入したり、その記入内容に基づいて候補曲とメンバーとをランダムに対応づけて候補曲の歌唱者として液晶タッチパネル２１に表示させたり、表示された候補曲の演奏予約コマンドをカラオケ装置に向けて発信したりするものである。
【００２２】
図３には、多機能カラオケリモコン装置のアイドル状態において液晶タッチパネル２１に表示されるトップ画面を例示している。また、図４に本実施例にかかるルーレット処理のフロー図を示している。さらに、図５（Ａ）〜（Ｅ）に画面遷移例を示している。
【００２３】
まず利用者がトップ画面のルーレットカラオケボタン３１を選択して入力すると、本実施例に係るルーレットカラオケ機能が活性化され、ゲームを開始する。
【００２４】
この多機能カラオケリモコン装置はフラッシュメモリ２５に楽曲索引データベースを構築し、各楽曲について曲名や歌手名、音楽ジャンル区分、流行時期などの属性情報を管理している。選曲に際しては、この楽曲索引データベースに基づいて、曲名や歌手名や音楽ジャンル区分などのさまざまな検索方式による選曲が可能に構成されている。
【００２５】
まずゲームの対象とする候補曲を選曲入力する（図４のステップ４１０、図５（Ａ）〜（Ｂ））。中央処理装置２２は、候補曲の識別情報（楽曲ＩＤや曲名）をルーレットカラオケ領域に記憶し、ルーレットカラオケの候補曲表として管理する（ステップ４１１）。
【００２６】
図５の例においては、（Ａ）でまず検索して選曲することを選択すると、（Ｂ）に例示したように、図３のトップメニューと同様のユーザインタフェースで楽曲を検索して、ルーレットカラオケ領域に記録することができる。その他にも（Ａ）に例示したように、指定したアーティストの曲の中から、またはヒット曲やデュエット曲の中からランダムに選曲する方式も用意されている。いずれの場合においても、ここで選曲した楽曲はルーレットカラオケ領域に記憶される。
【００２７】
次に、適宜なユーザインタフェースにしたがってメンバー名を入力する（ステップ４２０、図５（Ｃ））。中央処理装置２２は、これのメンバー名をルーレットカラオケ領域に記憶しメンバー表として管理する（ステップ４２１）。
なお、メンバー名は、利用者が自分でフルネームやニックネームを入力してもよいし、予め多機能カラオケリモコン装置のメモリに用意されている動植物名などの中から選択するようにしてもよい。
【００２８】
候補曲やメンバーを入力した後に、図５（Ｄ）に例示したように登録された候補曲名とメンバー名を一覧的に表示した画面において、スタートボタンが選択入力されると（ステップ４３０）、ルーレットを回すようにランダムに候補曲表から選曲したりメンバー表から人選したりする処理を開始する。つづいてストップボタンを選択入力すると、両者の対応づけが決定する。つまり中央処理装置２２は、まず候補曲表からランダムに１曲選曲するとともに、この楽曲の情報を表から削除する（ステップ４３１）。ひきつづきメンバー表から歌唱者としてランダムに一人選ぶとともに、このメンバーを表から削除する（ステップ４３２）。ここで楽曲名とメンバー名の組み合わせが決定する。
【００２９】
さらに、ここで決まったメンバーが決定した楽曲を歌えなかった場合の罰ゲーム名を決定する。ルーレットカラオケ領域には予め「一発芸」「おごり」「告白」などといった罰ゲーム名を示すメッセージが登録されている。中央処理装置２２はこの中から任意の一つのメッセージを選択して液晶タッチパネル２１に先に決定した曲名・メンバー名とともに表示する（ステップ４３３、図５（Ｅ））。そして、ここで決定した曲の楽曲ＩＤを予約待ちとして適宜なメモリに一時記憶する。
【００３０】
液晶タッチパネル２１に表示された曲名・メンバー名・罰ゲーム名の一覧表示を見たメンバーのいずれかがこの画面に表示された転送ボタン（予約コマンド）を操作入力することにより（ステップ４４０）、この楽曲の楽曲ＩＤを含む演奏予約コマンドがカラオケ装置に向けて発信される（ステップ４４１）。
その後、液晶タッチパネル２１には候補曲名とメンバー名の一覧表示画面（図５（Ｄ））が表示される。
【００３１】
ゲームを続ける場合には、利用者はこの画面（図５（Ｄ））のスタートボタン・ストップボタンを用いてルーレットを回し、新たな曲名・メンバー名・罰ゲーム名を決める。ゲームを終了する場合には、中止ボタンを操作入力してゲームを終了する（ステップ４５０）。
【００３２】
各画面において戻るボタンの操作入力などによって、ルーレットカラオケによって選曲された楽曲のカラオケ演奏中にも、メンバーや候補曲を追加することが可能である（ステップ４１０、４２０）。メンバーや候補曲を追加した場合には、つぎにルーレットをスタートするときには、新しいメンバー表・候補曲表に基づいて選曲し人選する。
【００３３】
もちろん、さらに戻るボタンの操作入力によって手順をさかのぼったり中止ボタンを操作入力すれば、ルーレットカラオケゲームを終了することも可能である。また、メンバー表や候補曲表が空になった場合にも、ルーレットカラオケゲームは終了可能である。
【００３４】
なお、候補曲がデュエット曲の場合には、メンバーをランダムに２名選択する。メンバー登録の際に性別も登録するように構成し、メンバーから男女ひとりずつ人選することも可能である。
【００３５】
また、ステップ４３０において一度ルーレットを回し止めると、その時点のメンバー表および候補曲表に記入されている内容に基づいて、楽曲とメンバーとの組み合わせをまとめて決定するようにしてもよい。ここで決定した組み合わせを、例えば図５（Ｄ）と同様の形態で一覧表示することもできる。
【００３６】
この場合にステップ４４０にて、この一覧表示の中から利用者が指定入力した楽曲のＩＤを演奏予約コマンドに含めてカラオケカラオケ装置に向けて発信するようにする（ステップ４４１、図５（Ｅ））。
あるいは、メンバーが一度転送ボタンの操作を行うと（ステップ４４０）、これら組み合わせの決定した楽曲のＩＤをまとめて演奏予約コマンドに含めてカラオケ装置に向けて発信するようにしてもよい。またはメンバーの転送ボタンの操作（ステップ４４０〜４４１）を待つことなく、楽曲とメンバーの組み合わせが決まると自動的に演奏予約コマンドを発信するようにしてもよい。いずれの場合にも、各楽曲の演奏予約は一覧表示された順に、あるいはランダムに並べ替えたりして適宜な順番で行うことができる。
【００３７】
上記ステップ４３１〜４３２において、先にメンバーを選んでそのメンバーに対応付けする曲をその後に選曲する方式としてもよいことは言うまでもない。
その他に、ルーレットで決定した歌唱者が歌えなかった楽曲は候補曲表から削除せずに、別のメンバーに歌わせるようにしてもよい。即座に新しい歌唱者を人選するようにしてもよいし、候補曲表に戻して選曲からし直すようにしてもよい。
また、ルーレットで楽曲とメンバーの組み合わせが決定しても、メンバー表からメンバーを削除せず、次の機会に他の曲を歌わせるようにすることも可能である。
【００３８】
＝＝＝他の実施形態＝＝＝
本発明に係る多機能カラオケリモコン装置の具現する機能を含むカラオケ装置本体で実現することも可能である。この場合には、楽曲索引データベースをカラオケ装置本体に構築して管理し、カラオケ装置本体のメモリ領域に「ルーレットカラオケ」領域を保持して管理する。また、ルーレットカラオケに関する情報はカラオケ装置本体の操作パネルやディスプレイ１８に表示出力される。この場合のディスプレイ１８は、１台に限らず、歌詞が表示されるものとは別のディスプレイ１８を付設して表示することも可能である。
【００３９】
あるいは、楽曲索引データベースをインターネット上で運営されるサーバーに構築し、このサーバーに「ルーレットカラオケ」領域を保持しておき、インターネット経由でカラオケ装置や利用者の所持する携帯情報端末からアクセス可能に構成し、携帯情報端末を介して実現する方式にも本発明を適用可能である。
【００４０】
【発明の効果】
この発明にかかるカラオケリモコン装置およびカラオケ装置によれば、自分の持ち歌を歌えるとは限らず、カラオケの娯楽性が増す。しかもグループ内の誰も歌えないような曲は外すことができるので、場が白けてしまうような事態は避けられる。また、各人のレパートリーが広がったり、カラオケの楽しみ方の創出・拡大につながるので、カラオケ利用者の増大を期待することができる。
【図面の簡単な説明】
【図１】本発明の一実施例に係る通信カラオケ端末装置のハードウェア構成の概略を示した図である。
【図２】本発明の一実施例に係る多機能カラオケリモコン装置の電子システム構成の概略を示す図である。
【図３】本発明の一実施例に係る多機能カラオケリモコン装置における選曲メニュー画面の概略図である。
【図４】本発明の一実施例に係るルーレットカラオケ機能についての処理フロー図である。
【図５】本発明の一実施例に係るルーレットカラオケ実行時に利用者に提示される画面遷移を例示した図である。
【符号の説明】
１１  通信カラオケ端末装置の中央処理装置
２２  多機能カラオケリモコン装置の中央処理装置
３１  「ルーレットカラオケ」メニューを指示するボタン
【図１】
2005017735.tif 000003
【図２】
2005017735.tif 000004
【図３】
2005017735.tif 000005
【図４】
2005017735.tif 000006
【図５】
2005017735.tif 000007